(57)【要約】【課題】録画予約した番組の放送時間帯の変更や放送中止等によって、録画予約した番組と異なる番組が録画されてしまった場合に、録画された番組が、録画予約した番組と異なる旨を判別しやすく表示する番組録画再生装置を提供する。【解決手段】録画された番組を示す番組情報を一覧表示可能な番組録画再生装置であって、番組録画再生装置は、番組録画時に電子番組表を参照し、録画予約の対象となった番組と、録画された番組とが一致しなかった場合に、録画予約の対象となった番組と一致していない旨を示す情報を表示することを特徴とする。【選択図】図３
2010081472.tif 000002
【特許請求の範囲】
【請求項１】
録画された番組を示す番組情報を一覧表示可能な番組録画再生装置であって、
前記番組録画再生装置は、
番組録画時に電子番組表を参照し、録画予約の対象となった番組と、前記録画された番組とが一致しなかった場合に、録画予約の対象となった番組と一致していない旨を示す情報を表示することを特徴とする番組録画再生装置。
【請求項２】
録画された番組を示す番組情報を一覧表示可能な番組録画再生装置であって、
前記番組録画再生装置は、
番組録画時に電子番組表を参照し、録画予約の対象となった番組が、録画予約の対象となった時間帯の前後の所定の時間内に存在しなかった場合に、録画予約の対象となった時間帯に録画を行い、録画予約の対象となった番組と一致していない旨を示す情報を表示することを特徴とする番組録画再生装置。
【請求項３】
前記番組録画再生装置は、さらに、録画予約の対象となった番組と一致していない旨を示す情報とともに、前記録画された番組を表示することを特徴とする請求項１又は請求項２に記載の番組録画再生装置。
【請求項４】
録画された番組を示す番組情報を一覧表示する番組リスト表示手段を有する番組録画再生装置であって、
前記番組録画再生装置は、
番組録画時に電子番組表を取得する電子番組表取得手段と、
前記電子番組表取得手段によって取得された電子番組表に基づいて、録画予約の対象となった番組と、前記録画された番組とが一致するか判定する番組判定手段とを備え、
前記番組リスト表示手段は、
前記番組判定手段によって、前記録画された番組が、録画予約の対象となった番組と一致しなかったと判断された場合に、録画予約の対象となった番組と一致していない旨を示す情報を表示することを特徴とする番組録画再生装置。
【請求項５】
録画された番組を示す番組情報を一覧表示する番組リスト表示手段を有する番組録画再生装置であって、
前記番組録画再生装置は、
番組録画時に電子番組表を取得する電子番組表取得手段と、
前記電子番組表取得手段によって取得された電子番組表に基づいて、録画予約の対象となった番組が、録画予約の対象となった時間帯の前後の所定の時間内に存在するかを判定する番組判定手段とを備え、
前記番組リスト表示手段は、
前記番組判定手段によって、前記録画された番組が、録画予約の対象となった番組が、録画予約の対象となった時間帯の前後の所定の時間内に存在しないと判断された場合に、録画予約の対象となった時間帯に録画を行い、録画予約の対象となった番組と一致していない旨を示す情報を表示することを特徴とする番組録画再生装置。
【請求項６】
前記番組録画再生装置は、さらに、録画予約の対象となった番組と一致していない旨を示す情報とともに、前記録画された番組を表示する、番組表示手段を備えることを特徴とする請求項４又は請求項５に記載の番組録画再生装置。
【請求項７】
前記番組判定手段は、録画予約の対象となった番組のジャンルを示す情報と、前記録画された番組のジャンルを示す情報とが一致するかを比較することを特徴とする請求項４乃至請求項６に記載の番組録画再生装置。
【請求項８】
前記番組判定手段は、録画予約の対象となった番組のタイトル名を示す情報と、前記録画された番組のタイトル名を示す情報とが一致するかを比較することを特徴とする請求項７に記載の番組録画再生装置。
【請求項９】
録画された番組を示す番組情報を一覧表示する番組録画再生装置の録画番組表示方法であって、
前記録画番組表示方法は、
番組録画時に電子番組表を取得させる電子番組表取得ステップと、
前記電子番組表取得ステップによって取得された電子番組表に基づいて、録画予約の対象となった番組と、前記録画された番組とが一致するか判定させる番組判定ステップと、
前記番組判定ステップによって、前記録画された番組が、録画予約の対象となった番組と一致しないと判断された場合に、録画予約の対象となった番組と一致していない旨を示す情報を表示させる表示ステップとを備えることを特徴とする録画番組表示方法。
【請求項１０】
録画された番組を示す番組情報を一覧表示する番組録画再生装置の録画番組表示方法であって、
前記録画番組表示方法は、
番組録画時に電子番組表を取得させる電子番組表取得ステップと、
前記電子番組表取得ステップによって取得された電子番組表に基づいて、録画予約の対象となった番組が、録画予約の対象となった時間帯の前後の所定の時間内に存在するかを判定させる番組判定ステップと、
前記番組判定ステップによって、前記録画された番組が、録画予約の対象となった番組が、録画予約の対象となった時間帯の前後の所定の時間内に存在しないと判断された場合に、録画予約の対象となった時間帯に録画させる録画ステップと、
録画予約の対象となった番組と一致していない旨を示す情報を表示させるステップとを備えることを特徴とする録画番組表示方法。
【請求項１１】
前記録画番組表示方法は、さらに、録画予約の対象となった番組と一致していない旨を示す情報とともに、前記録画された番組を表示させる表示ステップを備えることを特徴とする請求項９又は請求項１０に記載の録画番組表示方法。
【請求項１２】
前記番組判定ステップは、録画予約の対象となった番組のジャンルを示す情報と、前記録画された番組のジャンルを示す情報とが一致するかを判定させることを特徴とする請求項９乃至請求項１１のいずれかに記載の録画番組表示方法。
【請求項１３】
前記番組判定ステップは、録画予約の対象となった番組のタイトル名を示す情報と、前記録画された番組のタイトル名を示す情報とが一致するかを判定させることを特徴とする請求項９乃至請求項１２のいずれかに記載の録画番組表示方法。
【請求項１４】
録画された番組を示す番組情報を一覧表示する番組録画再生装置の録画番組表示プログラムであって、
前記録画番組表示プログラムは、
番組録画時に電子番組表を取得させる電子番組表取得ステップと、
前記電子番組表取得ステップによって取得された電子番組表に基づいて、録画予約の対象となった番組と、前記録画された番組とが一致するか判定させる番組判定ステップと、
前記番組判定ステップによって、前記録画された番組が、録画予約の対象となった番組と一致しないと判断された場合に、録画予約の対象となった番組と一致していない旨を示す情報を表示させる表示ステップとを備えることを特徴とする録画番組表示プログラム。
【請求項１５】
録画された番組を示す番組情報を一覧表示する番組録画再生装置の録画番組表示プログラムであって、
前記録画番組表示プログラムは、
番組録画時に電子番組表を取得させる電子番組表取得ステップと、
前記電子番組表取得ステップによって取得された電子番組表に基づいて、録画予約の対象となった番組が、録画予約の対象となった時間帯の前後の所定の時間内に存在するかを判定させる番組判定ステップと、
前記番組判定ステップによって、前記録画された番組が、録画予約の対象となった番組が、録画予約の対象となった時間帯の前後の所定の時間内に存在しないと判断された場合に、録画予約の対象となった時間帯に録画させる録画ステップと、
録画予約の対象となった番組と一致していない旨を示す情報を表示させるステップとを備えることを特徴とする録画番組表示プログラム。
【請求項１６】
前記録画番組表示プログラムは、さらに、録画予約の対象となった番組と一致していない旨を示す情報とともに、前記録画された番組を表示させる表示ステップを備えることを特徴とする請求項１４又は請求項１５に記載の録画番組表示プログラム。
【請求項１７】
前記番組判定ステップは、録画予約の対象となった番組のジャンルを示す情報と、前記録画された番組のジャンルを示す情報とが一致するかを判定させることを特徴とする請求項１４乃至請求項１６のいずれかに記載の録画番組表示プログラム。
【請求項１８】
前記番組判定ステップは、録画予約の対象となった番組のタイトル名を示す情報と、前記録画された番組のタイトル名を示す情報とが一致するかを判定させることを特徴とする請求項１４乃至請求項１７のいずれかに記載の録画番組表示プログラム。
【発明の詳細な説明】
【技術分野】
【０００１】
本発明は、ハードディスクレコーダーなどの番組録画再生装置における、番組の予約録画方法と録画された番組を示す番組情報の表示方法に関する。
【背景技術】
【０００２】
記憶装置を備えたハードディスクレコーダーや番組録画機能を備えたパーソナルコンピュータといった番組録画再生装置の普及によって、ユーザーは手軽に番組を録画することが可能となっている。
【０００３】
一般的に、番組録画再生装置は、放送波やネットワーク上のサーバーを介して取得することのできるＥＰＧ（Ｅｒｅｔｒｏｎｉｃ  Ｐｒｏｇｒａｍ  Ｇｕｉｄｅ）と呼ばれる電子番組表から、ユーザーが番組を選択することにより、所望の番組を録画予約する機能（以下、「録画予約機能」という。）を備えている。
【０００４】
ところで、ユーザーが録画予約を行った後に、放送時間帯の延長・変更や録画予約した番組の放送が中止となって、ユーザーが録画予約していた番組が、予約した時間帯に放送されなかったとき、ユーザーの所望の番組が録画されていないという問題がある。
【０００５】
そこで、上述のような問題を解決するために、随時、最新のＥＰＧから、ユーザーが録画予約した番組の放送時間帯の前後の時間帯の番組を検索し、録画予約した番組と同一のタイトル名の番組が検索された場合に、当該同一のタイトル名の番組の放送時間帯にあわせて、録画予約した番組の予約情報における録画時間帯を変更するものがある。
【０００６】
なお、特許文献１には、電子番組情報から、予約番組のタイトル文字列を用いて、放送時間情報を検出して、予約時間情報と比較して、一致しない場合には、予約時間情報を自動的に変更する放送番組予約録画方法について開示されている。
【０００７】
【特許文献１】特開２００６−２２９３９６号公報
【発明の開示】
【発明が解決しようとする課題】
【０００８】
ところで、上述のような録画時間帯の自動変更を行う機能を備える番組予約録画装置においては、一般的に、検索範囲内に録画予約をしていた番組と同一のタイトル名の番組が検索されなかった場合には、フェールセーフの観点から、予約情報を変更せずに、当初ユーザーが録画予約をした際の録画時間帯に録画を行うように設計されており、これにより、本来ユーザーが録画予約した番組と異なる番組が録画されてしまうこともある。
【０００９】
そうすると、録画後に、録画された番組の情報を表示させると、ユーザーが録画予約した際のタイトル名とは異なるタイトル名で表示される。なぜならば、通常、番組録画再生装置は、録画時に最新のＥＰＧから番組のタイトル名等の番組情報を取得しており、取得された番組情報に基づいて、録画された番組の情報を生成・表示しているからである。
【００１０】
また、昨今の番組録画再生装置においては、記憶容量の大容量化に伴い、録画される番組数も大幅に増大しており、大量の録画された番組の情報をリスト表示等した場合に、上述のように、録画予約した番組と異なる番組が録画されていても、ユーザーが、その旨を判別することが困難となっている。
【００１１】
そこで、本発明は、録画予約した番組の放送時間帯の変更や放送中止等によって、録画予約した番組と異なる番組が録画されてしまった場合に、録画された番組が、録画予約した番組と異なる旨を判別しやすく表示する番組録画再生装置を提供することを目的とする。
【課題を解決するための手段】
【００１２】
本発明の第１の番組録画再生装置は、録画された番組を示す番組情報を一覧表示可能な番組録画再生装置であって、前記番組録画再生装置は、番組録画時に電子番組表を参照し、録画予約の対象となった番組と、前記録画された番組とが一致しない場合に、録画予約の対象となった番組と一致していない旨を示す情報を表示することを特徴とする。
【００１３】
本発明の第２の番組録画再生装置は、録画された番組を示す番組情報を一覧表示可能な番組録画再生装置であって、前記番組録画再生装置は、番組録画時に電子番組表を参照し、録画予約の対象となった番組が、録画予約の対象となった時間帯の前後の所定の時間内に存在しなかった場合に、録画予約の対象となった時間帯に録画を行い、録画予約の対象となった番組と一致していない旨を示す情報を表示することを特徴とする。
【００１４】
本発明の第３の番組録画再生装置は、さらに、録画予約の対象となった番組と一致していない旨を示す情報とともに、前記録画された番組を表示することを特徴とする。
【００１５】
本発明の第４の番組録画再生装置は、録画された番組を示す番組情報を一覧表示する番組リスト表示手段を有する番組録画再生装置であって、前記番組録画再生装置は、番組録画時に電子番組表を取得する電子番組表取得手段と、前記電子番組表取得手段によって取得された電子番組表に基づいて、録画予約の対象となった番組と、前記録画された番組とが一致するか判定する番組判定手段とを備え、前記番組リスト表示手段は、前記番組判定手段によって、前記録画された番組が、録画予約の対象となった番組と一致しないと判断された場合に、録画予約の対象となった番組と一致していない旨を示す情報を表示することを特徴とする。
【００１６】
本発明の第５の番組録画再生装置は、録画された番組を示す番組情報を一覧表示する番組リスト表示手段を有する番組録画再生装置であって、前記番組録画再生装置は、番組録画時に電子番組表を取得する電子番組表取得手段と、前記電子番組表取得手段によって取得された電子番組表に基づいて、録画予約の対象となった番組が、録画予約の対象となった時間帯の前後の所定の時間内に存在するかを判定する番組判定手段とを備え、前記番組リスト表示手段は、前記番組判定手段によって、前記録画された番組が、録画予約の対象となった番組が、録画予約の対象となった時間帯の前後の所定の時間内に存在しないと判断された場合に、録画予約の対象となった時間帯に録画を行い、録画予約の対象となった番組と一致していない旨を示す情報を表示することを特徴とする。
【００１７】
本発明の第６の番組録画再生装置は、前記番組判定手段は、録画予約の対象となった番組のジャンルを示す情報と、前記録画された番組のジャンルを示す情報とが一致するかを比較することを特徴とする。
【００１８】
本発明の第７の番組録画再生装置は、前記番組判定手段は、録画予約の対象となった番組のタイトル名を示す情報と、前記録画された番組のタイトル名を示す情報とが一致するかを比較することを特徴とする。
【００１９】
本発明の第１の録画番組表示方法は、録画された番組を示す番組情報を一覧表示する番組録画再生装置の録画番組表示方法であって、前記録画番組表示方法は、番組録画時に電子番組表を取得させる電子番組表取得ステップと、前記電子番組表取得ステップによって取得された電子番組表に基づいて、録画予約の対象となった番組と、前記録画された番組とが一致するか判定させる番組判定ステップと、前記番組判定ステップによって、前記録画された番組が、録画予約の対象となった番組と一致しないと判断された場合に、録画予約の対象となった番組と一致していない旨を示す情報を表示させる表示ステップとを備えることを特徴とする。
【００２０】
本発明の第２の録画番組表示方法は、録画された番組を示す番組情報を一覧表示する番組録画再生装置の録画番組表示方法であって、前記録画番組表示方法は、番組録画時に電子番組表を取得させる電子番組表取得ステップと、前記電子番組表取得ステップによって取得された電子番組表に基づいて、録画予約の対象となった番組が、録画予約の対象となった時間帯の前後の所定の時間内に存在するかを判定させる番組判定ステップと、前記番組判定ステップによって、前記録画された番組が、録画予約の対象となった番組が、録画予約の対象となった時間帯の前後の所定の時間内に存在しないと判断された場合に、録画予約の対象となった時間帯に録画させる録画ステップと、録画予約の対象となった番組と一致していない旨を示す情報を表示させるステップとを備えることを特徴とする。
【００２１】
本発明の第３の録画番組表示方法は、さらに、録画予約の対象となった番組と一致していない旨を示す情報とともに、前記録画された番組を表示させる表示ステップを備えることを特徴とする。
【００２２】
本発明の第４の録画番組表示方法は、前記番組判定ステップは、録画予約の対象となった番組のジャンルを示す情報と、前記録画された番組のジャンルを示す情報とが一致するかを判定させることを特徴とする。
【００２３】
本発明の第５の録画番組表示方法は、録画予約の対象となった番組のタイトル名を示す情報と、前記録画された番組のタイトル名を示す情報とが一致するかを判定させることを特徴とする。
【００２４】
本発明の第１の録画番組表示プログラムは、録画された番組を示す番組情報を一覧表示する番組録画再生装置の録画番組表示プログラムであって、前記録画番組表示プログラムは、番組録画時に電子番組表を取得させる電子番組表取得ステップと、前記電子番組表取得ステップによって取得された電子番組表に基づいて、録画予約の対象となった番組と、前記録画された番組とが一致するか判定させる番組判定ステップと、前記番組判定ステップによって、前記録画された番組が、録画予約の対象となった番組と一致しないと判断された場合に、録画予約の対象となった番組と一致していない旨を示す情報を表示させる表示ステップとを備えることを特徴とする。
【００２５】
本発明の第２の録画番組表示プログラムは、録画された番組を示す番組情報を一覧表示する番組録画再生装置の録画番組表示プログラムであって、前記録画番組表示プログラムは、番組録画時に電子番組表を取得させる電子番組表取得ステップと、前記電子番組表取得ステップによって取得された電子番組表に基づいて、録画予約の対象となった番組が、録画予約の対象となった時間帯の前後の所定の時間内に存在するかを判定させる番組判定ステップと、前記番組判定ステップによって、前記録画された番組が、録画予約の対象となった番組が、録画予約の対象となった時間帯の前後の所定の時間内に存在しないと判断された場合に、録画予約の対象となった時間帯に録画させる録画ステップと、録画予約の対象となった番組と一致していない旨を示す情報を表示させるステップとを備えることを特徴とする。
【００２６】
本発明の第３の録画番組表示プログラムは、さらに、録画予約の対象となった番組と一致していない旨を示す情報とともに、前記録画された番組を表示させる表示ステップを備えることを特徴とする。
【００２７】
本発明の第４の録画番組表示プログラムは、前記番組判定ステップは、録画予約の対象となった番組のジャンルを示す情報と、前記録画された番組のジャンルを示す情報とが一致するかを判定させることを特徴とする。
【００２８】
本発明の第５の録画番組表示プログラムは、前記番組判定ステップは、録画予約の対象となった番組のタイトル名を示す情報と、前記録画された番組のタイトル名を示す情報とが一致するかを判定させることを特徴とする。
【発明の効果】
【００２９】
本発明によれば、録画予約した番組の放送時間帯の変更や放送中止等によって、録画予約した番組と異なる番組が録画されてしまった場合に、録画された番組が、録画予約した番組と異なる旨を判別しやすく表示する番組録画再生装置を提供することができる。
【発明を実施するための最良の形態】
【００３０】
以下、図面を参照して本発明を実施するための最良の形態について説明する。図1の、本発明の実施の形態の番組録画再生装置を説明するためのブロック図である。
【００３１】
図１を参照すると、番組録画再生装置１０は、制御部２０と、記憶部３０とを有し、さらに、表示装置４０が接続されている。
【００３２】
まず、本発明の実施の形態の番組録画再生装置の概略を説明すると、この番組録画再生装置は、録画予約された番組を録画するときに、最新のＥＰＧから録画する番組の番組情報を取得し、予約番組の情報と、取得した番組情報とを比較して、一致しない場合には、その旨を示す情報を付加するものである。以下、詳細に説明する。
【００３３】
制御部２０は、記録媒体に格納されたプログラムを実行することにより、予約制御手段２１と、ＥＰＧ取得手段２２と、録画番組管理手段２３と、番組リスト表示制御手段２４とを、論理的に備える。なお、各手段の動作については口述する。ここで、予約制御手段２１と、ＥＰＧ取得手段２２と、録画番組管理手段２３と、番組リスト表示制御手段２４とは、それぞれ専用のハードウェアで構成されても良い。
【００３４】
記憶部３０は、番組録画再生装置１０に内蔵される記憶装置であり、少なくとも、録画された番組と、録画された番組の番組情報と、録画予約された番組の情報と、ＥＰＧ情報とが、格納されている。
【００３５】
表示装置４０は、番組録画再生装置１０にて録画された番組を再生する際に、再生する番組を表示させ、ＥＰＧや録画された番組のリストを表示することもできる、ディスプレイ装置となる。より具体的には、テレビやパーソナルコンピュータに備えられているモニタ装置である。
【００３６】
次に、本発明の実施の形態の動作について説明する。
【００３７】
まず、図２を参照して、本発明の実施の形態の番組の録画予約の動作について説明する。図２は、当該動作を説明するためのフローチャートである。
【００３８】
図２を参照すると、番組録画再生装置１０を起動し、ユーザーの所定の操作により、ＥＰＧ取得手段２２が、電子番組表（ＥＰＧ）データを取得し、記憶部３０に格納する（ステップＳ１１）。
【００３９】
なお、ＥＰＧデータを配信するサーバーが、ネットワーク上に存在する場合には、ＥＰＧ取得手段２２が、不図示の所定のサーバーから最新の状態のＥＰＧデータを取得する。
【００４０】
また、放送波等を介して所定の間隔でＥＰＧデータが配信されている場合には、記憶部３０に最新のＥＰＧデータが既に格納されている場合もある。
【００４１】
ステップＳ１１で、最新のＥＰＧデータが、記憶部３０に格納されると、予約制御手段２１は、最新のＥＰＧデータを表示装置４０に表示する（ステップＳ１２）。
【００４２】
表示装置４０に表示されるＥＰＧデータの一例を、図５に示す。図５の例では、チャンネルを各列に割り当て、時間を各行に割り当てて表示しているが、この形式に限定されない。
【００４３】
ステップＳ１２で、最新のＥＰＧデータが表示されると、ユーザーの所定の操作により、予約制御手段２１が、ユーザーが指定する番組の録画予約を行う（ステップＳ１３）。
【００４４】
録画予約時の操作としては、例えば、ＥＰＧデータが表示されている画面上で、ユーザーが、番組を示す枠を移動させて、録画予約したい番組の枠の位置で、マークすることにより録画予約がなされる。
【００４５】
ステップＳ１３で、番組の録画予約がなされると（ステップＳ１３／ＹＥＳ）、予約制御手段２１は、当該番組の情報を予約情報として、記憶部３０に格納する（ステップＳ１４）。
【００４６】
ＥＰＧデータには、各番組の情報が含まれており、予約制御手段２１は、少なくとも番組のタイトルを示す情報と、番組の録画時間帯を示す情報と、チャンネルを示す情報とを予約情報として格納する。
【００４７】
また、録画時間帯やチャンネルのほかに、録画予約された番組のジャンルを示す情報、出演者情報、番組情報といった情報も格納しても良い。なお、番組情報とは、例えば、ドラマであれば、あらすじ等が含まれた情報である。
【００４８】
予約情報の一例を、図６に示す。図６の例では、予約情報として、番組タイトル名、録画時間帯、チャンネル、ジャンルを記憶している。
【００４９】
ステップＳ１４で、予約情報が記憶部３０に格納されると、録画予約の処理は終了する。なお、ステップＳ１３で、ユーザーによる録画予約の操作がなされなかった場合にも、録画予約の処理は終了する（ステップＳ１３／ＮＯ）。
【００５０】
次に、図３を参照して、本発明の実施の形態の録画予約された番組の録画するときの動作について説明する。図３は、当該動作を説明するためのフローチャートである。
【００５１】
図３を参照すると、録画予約した時間帯が近づくと（例えば、録画開始５分前の時間帯）、番組録画再生装置が起動され、録画が開始されると、ＥＰＧ取得手段２２が、最新のＥＰＧデータを取得する（ステップＳ２１）。
【００５２】
なお、録画を開始する直前に、ＥＰＧ取得手段２２が、最新のＥＰＧデータを取得するようにしても良い。
【００５３】
ステップＳ２１で、最新のＥＰＧデータを取得すると、予約制御手段２１が、ステップＳ１４で記憶部３０に格納された予約情報と、最新のＥＰＧデータから抽出される録画対象の番組の情報とを比較する（ステップＳ２２）。
【００５４】
最新のＥＰＧデータの一例を、図７に示す。図７を参照すると、９月1８日の６時３０分から７時まで、０２１チャンネルで放送される番組は、「臨時ニュース」となっている。
【００５５】
しかしながら、図６に示した予約情報を参照すると、ユーザーは、９月１８日の６時３０分から７時まで、０２１チャンネルで放送される番組の録画予約をしているのだが、予約情報における番組のタイトル名は、「中国語講座」となっていた。
【００５６】
つまり、録画予約時におけるＥＰＧデータでは、９月１８日の６時３０分から７時までの時間帯では、「中国語講座」が放送される予定となっていたが、その後、ＥＰＧデータが更新された際に放送される番組が「臨時ニュース」に変更されたことになる。
【００５７】
従って、予約情報の番組のタイトル名と、最新のＥＰＧデータにおける同時間の、同チャンネルの番組の情報における番組のタイトル名が一致していない。
【００５８】
なお、ステップＳ２２では、例えば、番組のタイトル名の比較を行う。上述の例では、「中国語講座」と「臨時ニュース」とを比較する。なお、タイトル名が所定の文字数以上一致していたら、一致すると判断するようにしても良い。また、予約情報に、番組のジャンルを示す情報も含まれている場合、番組のタイトル名の比較をする前に、ジャンルを示す情報が一致するかを比較するようにしても良い。
【００５９】
ところで、本発明の実施の形態では、最新のＥＰＧデータから、録画予約をした時間帯である９月１８日の６時３０分から７時までの時間帯の０２１チャンネルで放送される番組の比較を行っているが、当然のことながら、随時ＥＰＧ取得手段２２に、最新のＥＰＧデータを取得させ、当初録画予約した時間帯の前後の所定の時間内から、タイトル名が一致する番組を検索させ、タイトル名が一致する番組が、異なる時間帯に存在していたら、録画予約の時間帯を変更するような処理をさせても良い。この場合、前後の所定の時間帯にも、タイトル名が一致する番組が検索されない場合に、後述のステップＳ２３において、録画番組管理手段２３が、予約情報を変更し、古い予約情報を、付加情報として付加することにすれば良い。
【００６０】
ステップＳ２２で、最新のＥＰＧデータでの録画対象の番組の情報と、予約情報とが一致しない場合（ステップＳ２２／ＮＯ）、録画番組管理手段２３が、予約情報を、最新のＥＰＧデータにおける番組の情報に変更し、変更後の予約情報に、古い予約情報を、付加情報として付加する（ステップＳ２３）。
【００６１】
ステップＳ２３で、予約情報が、最新のＥＰＧデータに基づく番組の情報に変更されると、録画番組管理手段２３が、録画された番組の映像データと、付加情報を付加した予約情報に基づいた録画番組情報とを、記憶部３０に格納する（ステップＳ２４）。
【００６２】
なお、ステップＳ２２で、録画対象の番組の情報と予約情報とが一致する場合（ステップＳ２２／ＹＥＳ）には、録画番組管理手段２３は、予約情報が変更される必要がないから、予約情報に基づいた録画番組情報を、録画された番組の映像データとともに、記憶部３０に格納する（ステップＳ２４）。
【００６３】
ところで、例えば、番組のタイトル名が一部だけ変更になっていたが、ステップＳ２２で、番組情報が一致すると判定されたような場合には、録画番組管理手段２３は、予約情報を、最新のＥＰＧデータにおける番組の情報に変更しても良い。
【００６４】
具体的には、予約情報の番組のタイトル名が「中国語講座」であって、最新のＥＰＧデータにおける番組の情報では「中国語講座＃３」となっていた場合、予約情報に基づいた録画番組情報を、（付加情報を付加せずに）「中国語講座＃３」となるように変更しても良い。
【００６５】
ステップＳ２４で記憶部３０に格納される録画番組情報テーブルの一例を、図８に示す。図８を参照すると、最新のＥＰＧデータに基づき、例えば、番組のタイトル名が変更されていた場合、付加情報に当初ユーザーが録画予約していた番組のタイトル名が記録される（図８中の、識別番号が「００１」の番組情報）。一方、番組のタイトル名に変更がなかった場合には、付加情報には、何も記録されない（図８中の、識別番号が「００２」の番組情報）。
【００６６】
次に、図４を参照して、本発明の実施の形態の録画された番組の一覧表示をさせるときの動作について説明する。図４は、当該動作を説明するためのフローチャートである。
【００６７】
図４を参照すると、ユーザーの操作によって、番組一覧表示の処理が始まると、まず、録画番組管理手段２３は、録画番組情報テーブルから、番組情報を取得する（ステップＳ３１）。
【００６８】
番組情報の取得の順番は、例えば、録画番組情報テーブルの識別番号の順番に取得する。また、録画時間帯の示す日時が新しい順番に取得させても良い。
【００６９】
ステップＳ３１で、番組情報を取得すると、録画番組管理手段２３は、取得した番組情報に、付加情報があるかどうかを判定する（ステップＳ３２）。
【００７０】
具体的には、図８の録画番組情報テーブルの一例に示すように、付加情報の列に情報が存在するかどうかで判定する。
【００７１】
ステップＳ３２で、付加情報が存在すると判定された場合（ステップＳ３２／ＹＥＳ）、番組リスト表示制御手段２４は、録画番組情報テーブルから取得した番組情報と併せて、付加情報が存在することを示す情報を表示装置４０に表示する（ステップＳ３３ａ）。
【００７２】
具体的には、付加情報が存在することを示すマークや、変更前の番組のタイトル名を表示させる。
【００７３】
ステップＳ３３ａで、番組情報と付加情報が存在することを示す情報とを表示すると、録画番組管理手段２３は、録画番組情報テーブルに、まだ番組情報を表示してない番組（未表示の録画番組）が存在するかを判定する（ステップＳ３４）。
【００７４】
一方、ステップＳ３２で、付加情報が存在しないと判定された場合（ステップＳ３２／ＮＯ）、番組リスト表示制御手段２４は、録画番組情報テーブルから取得した番組情報のみを表示する（ステップＳ３３ｂ）。
【００７５】
ステップＳ３３ｂで、番組情報を表示すると、録画番組管理手段２３は、録画番組情報テーブルに、まだ番組情報を表示してない番組（未表示の録画番組）が存在するかを判定する（ステップＳ３４）。
【００７６】
ステップＳ３４で、未表示の録画番組が存在すると判定された場合には（ステップＳ３４／ＹＥＳ）、ステップＳ３１の処理に戻る。
【００７７】
一方、ステップＳ３４で、未表示の録画番組は存在しないと判定された場合には（ステップＳ３４／ＮＯ）、そのまま処理を終了する。
【００７８】
ステップＳ３３ａ／ステップＳ３３ｂで表示する番組情報の一覧の例を、図９に示す。図９を参照すると、付加情報が存在する番組（図９の例では、「臨時ニュース」と、「オリンピック予選・サッカー」）については、その旨を示すマークが表示されている。
【００７９】
ステップＳ３３ａ／ステップＳ３３ｂで表示する番組情報の一覧の異なる例を、図１０に示す。図１０を参照すると、付加情報が存在する番組については、録画された番組のタイトル名とともに、ユーザーが録画予約する操作をした際の番組名が表示されている。
【００８０】
なお、図９および図１０は、簡略化したもので、実際には録画時間帯を示す情報やチャンネルを示す情報も併せて表示されても良く、図９および図１０のような表示形式に限定はされない。
【００８１】
以上のような処理により、録画予約した番組の放送時間帯の変更や放送中止等によって、録画予約した番組と異なる番組が録画されてしまった場合に、録画された番組が、ユーザーが当初録画予約した番組と異なることが、ユーザーに判別しやすく表示される。
【図面の簡単な説明】
【００８２】
【図１】本発明の実施の形態の番組録画再生装置を説明するためのブロック図である。
【図２】本発明の実施の形態の番組録画再生装置の録画予約操作時の動作を説明するためのフローチャートである。
【図３】本発明の実施の形態の番組録画再生装置の番組録画時の動作を説明するためのフローチャートである。
【図４】本発明の実施の形態の番組録画再生装置の録画番組の一覧表示時の動作を説明するためのフローチャートである。
【図５】本発明の実施の形態における電子番組表の一例を説明するための図である。
【図６】本発明の実施の形態における予約情報の一例を説明するための図である。
【図７】本発明の実施の形態における更新された最新の電子番組表の一例を説明するための図である。
【図８】本発明の実施の形態における録画番組情報テーブルの一例を説明するための図である。
【図９】本発明の実施の形態における録画番組一覧の第１の例を説明するための図である。
【図１０】本発明の実施の形態における録画番組一覧の第２の例を説明するための図である。
【符号の説明】
【００８３】
１０  番組録画再生装置
２０  制御部
２１  予約制御手段
２２  ＥＰＧ取得手段
２３  録画番組管理手段
２４  番組リスト表示制御手段
３０  記憶部
４０  表示装置
【図１】
2010081472.tif 000003
【図２】
2010081472.tif 000004
【図３】
2010081472.tif 000005
【図４】
2010081472.tif 000006
【図５】
2010081472.tif 000007
【図６】
2010081472.tif 000008
【図７】
2010081472.tif 000009
【図８】
2010081472.tif 000010
【図９】
2010081472.tif 000011
【図１０】
2010081472.tif 000012